(57)【要約】【課題】時と場所、場合などに応じて、本体部の模様や色彩が異なるものや、収納部の構造が異なるものに使い分けするのに、本体部と収納部を別体とし、これらを種々組み合わせて使用することができるものとし、それ程多くの財布を用意しなくてもよくなり、また本体部又は収納部の何れかだけが使用できなくなってしまった場合に、そのものだけを新しいものに取り替えることができる財布を提供する。【解決手段】見開き自在として二つ折りにした本体部１と、小物類を分類して収納できる収納部２を別体として備え、前記本体部１の両側面部１Ａ、１Ａの内側に前記収納部２を着脱手段３によって、着脱自在として装着したものとしている。【選択図】図１
2014144194.tif 000002
【特許請求の範囲】
【請求項１】
見開き自在として二つ折りにした本体部（１）と、小物類を分類して収納できる収納部（２）を別体として備え、前記本体部（１）の両側面部（１Ａ、１Ａ）の内側に前記収納部（２）を着脱手段（３）によって、着脱自在として装着したことを特徴とする財布。
【請求項２】
前記本体部（１）は、上端縁（１ａ）および両側縁（１ｂ）にかけて開閉ファスナー（４）を設けたものとし、前記収納部（２）は、開閉ファスナー付き収納部（２Ａ）と、この開閉ファスナー付き収納部（２Ａ）の両側方に設けた上方開口の収納部（２Ｂ）からなるものとしたことを特徴とする請求項１記載の財布。
【請求項３】
前記着脱手段（３）は、前記本体部（１）の両側面部（１Ａ、１Ａ）のそれぞれの内側面の各両隅に取り付けたフラップ片（１０）の内面にホック（１１）の一方を取り付け、前記収納部（２Ｂ）のヒダ部材（８）の外折返し面（８ａ）にホック（１１）の他方を取り付けたものとしたことを特徴とする請求項１記載の財布。
【請求項４】
前記フラップ片（１０）は、ヒダ部材（８）の外折返し面（８ａ）を下方に差し込んだときに、この外折返し面（８ａ）の全面を覆うようにしたことを特徴とする請求項３記載の財布。
【発明の詳細な説明】
【技術分野】
【０００１】
この発明は、紙幣や小銭、名刺やカード等の小物類を分類して収納できるようにした財布に関するものである。
【背景技術】
【０００２】
従来、この種の財布としては、見開き自在として二つ折りにした本体部の内部に、紙幣や小銭、名刺やカード等の小物類を分類して収納できる収納部を装着したものが存在していた（特許文献１、２）。
【０００３】
このような従来の財布では、小銭入れ、札入れおよびカード入れをそれぞれ別々に持たなくても、これらが一緒になっているので、これらを纏めて持つことができ、非常に便利なものであった。
【先行技術文献】
【特許文献】
【０００４】
【特許文献１】特開平１０−３１３９２４号公報
【特許文献２】特開２００２−１０１９３３号公報
【発明の概要】
【発明が解決しようとする課題】
【０００５】
しかしながら、上記従来の財布は、見開き自在として二つ折りにした本体部と、紙幣や小銭、名刺やカード等の小物類を分類して収納できる収納部とを一体とし、分離できないものとしている。
【０００６】
そのため、上記従来の財布では、時と場所、場合などに応じて、本体部の模様や色彩が異なるものや、収納部の構造が異なるものに使い分けするには、別の財布を用意しなければならなかった。しかも、上記従来の財布は、紙幣や小銭、名刺やカード等の小物類を分類して収納できる収納部を備えているため、小銭入れ、札入れ又はカード入れが単体となった財布に比べ高価なものとなっている。
【０００７】
したがって、上記従来の財布では、本体部の模様や色彩が異なり、収納部の構造が同じものを使用する場合、本体部の模様や色彩が同じで、収納部の構造が異なるものを使用する場合、本体部の模様や色彩が異なり、収納部の構造も異なるものを使用する場合の何れの場合でも、それぞれ別の財布を用意しなければならず、これらの財布を多く揃えるのは、多大な費用がかかり不経済であるという課題を有していた。
【０００８】
また、上記従来の財布では、収納部は、紙幣や小銭、名刺やカード等の小物類を出し入れするため、本体部に比べ一般的に、汚れ易かったり、傷み易かったりする。また、使用状態によっては、収納部より本体部の方が汚れ易かったり、傷み易かったりする場合もある。したがって、財布を長年使用しておれば、本体部又は収納部の何れかだけが使用できなくなってしまうということがあるという課題を有していた。
【０００９】
そこで、この発明は、上記従来の課題を解決するためになされたものであり、時と場所、場合などに応じて、本体部の模様や色彩が異なるものや、収納部の構造が異なるものに使い分けするのに、本体部と収納部を別体とし、これらを種々組み合わせて使用することができるものとし、それ程多くの財布を用意しなくてもよくなり、また本体部又は収納部の何れかだけが使用できなくなってしまった場合に、そのものだけを新しいものに取り替えることができる財布を提供することを目的とする。
【課題を解決するための手段】
【００１０】
そのため、この発明の財布は、見開き自在として二つ折りにした本体部１と、小物類を分類して収納できる収納部２を別体として備え、前記本体部１の両側面部１Ａ、１Ａの内側に前記収納部２を着脱手段３によって、着脱自在として装着したものとしている。
【００１１】
そして、この発明の財布において、前記本体部１は、上端縁１ａおよび両側縁１ｂにかけて開閉ファスナー４を設けたものとし、前記収納部２は、開閉ファスナー付き収納部２Ａと、この開閉ファスナー付き収納部２Ａの両側方に設けた上方開口の収納部２Ｂからなるものとしている。
【００１２】
さらに、この発明の財布において、前記着脱手段３は、前記本体部１の両側面部１Ａ、１Ａのそれぞれの内側面の各両隅に取り付けたフラップ片１０の内面にホック１１の一方を取り付け、前記収納部２Ｂのヒダ部材８の外折返し面８ａにホック１１の他方を取り付けたものとしている。
【００１３】
また、この発明の財布において、前記フラップ片１０は、ヒダ部材８の外折返し面８ａを下方に差し込んだときに、この外折返し面８ａの全面を覆うようにしている。
【発明の効果】
【００１４】
この発明の財布は、以上に述べたような構成としているので、時と場所、場合などに応じて、本体部の模様や色彩が異なるものや、収納部の構造が異なるものに使い分けするのにも、本体部と収納部とを種々組み合わせて使用することができるので、それ程多くの財布を用意しなくてもよくなり、また本体部又は収納部の何れかだけが使用できなくなってしまった場合にも、そのものだけを新しいものに取り替えることができるものとなり、経済的にも優れたものとなった。
【図面の簡単な説明】
【００１５】
【図１】この発明の財布の一実施形態を示しており、本体部と収納部を別々にした状態を示す斜視図である。
【図２】この発明の財布の本体部に収納部を装着する途中の状態を示す斜視図である。
【図３】この発明の財布の本体部に収納部を装着し終わった状態を示す斜視図である。
【図４】図３に示すこの発明の財布の開閉ファスナーを閉じた状態を示す斜視図である。
【発明を実施するための形態】
【００１６】
以下、この発明の財布を実施するための形態を、図面に基づいて詳細に説明する。
【００１７】
この発明の財布は、図１に示したように、見開き自在として二つ折りにした本体部１と、小物類を分類して収納できる収納部２を別体として備え、前記本体部１の両側面部１Ａ、１Ａの内側に前記収納部２を着脱手段３によって、着脱自在として装着したものとしている。
【００１８】
本体部１は、図示したものでは、上端縁１ａおよび両側縁１ｂにかけて開閉ファスナー４を設けたものとして、見開き自在として二つ折りにしている。この本体部１は、外側面に各種の模様や色彩を施したり、外側面の材質を布地としたり、天然皮革や合成皮革とするなど各種の材質としている。なお、前記本体部１は、開閉ファスナー４を設けることなく、見開き自在とした一方側の開放端部に係着部材（図示せず）の一方を設け、他方側の開放端部に係着部材の他方を設けたものとして実施することもできる。
【００１９】
収納部２は、開閉ファスナー付き収納部２Ａと、この開閉ファスナー付き収納部２Ａの両側方に設けた上方開口の収納部２Ｂからなるものとしている。
【００２０】
開閉ファスナー付き収納部２Ａは、上端部に形成した開口部５の周縁に開閉ファスナー６を設けたものとし、小銭等のばらつくものを収納し易いように袋状としている。なお、この開閉ファスナー付き収納部２Ａは、図示していないが、上端部および一方の側部にかけて形成した開口部５の周縁に開閉ファスナー６を設けたものとしてもよく、さらに前記開口部５を上端部および両側部にかけて形成したものとし、この開口部５の周縁に前記開閉ファスナー６を設けたものとしてもよい。
【００２１】
上方開口の収納部２Ｂは、前記開閉ファスナー付き収納部２Ａの両側方に一個ずつ又は複数個ずつ設けたものとし、開閉ファスナー付き収納部２Ａの両側端と仕切り部材７の両端部、又は複数の仕切り部材７の両端部どうしを、この収納部２Ｂの内方に向けて外折返し面８ａ、内折返し面８ｂを有したヒダ部材８でそれぞれ固着したものとしており、紙幣等を折り畳むことなく広げたまま、出し入れし易いようにしている。さらに、前記収納部２Ｂには、仕切り部材７の側面に複数のポケット９を設け、名刺やカード等を差し込めるようにしている。
【００２２】
着脱手段３は、前記本体部１の両側面部１Ａ、１Ａのそれぞれの内側面の各両隅に取り付けたフラップ片１０の内面にホック１１の一方を取り付け、前記収納部２Ｂのヒダ部材８の外折返し面８ａ（複数個の収納部２Ｂを設けたものとした場合は、一番外寄りの収納部２Ｂのヒダ部材８の外折返し面８ａ）にホック１１の他方を取り付けたものとし、これらホック１１の一方と他方を引っ付けたり外したりすることにより、本体部１の内側に収納部２を着脱自在として装着したものとしている。
【００２３】
フラップ片１０は、ヒダ部材８の外折返し面８ａと略同じ大きさか、少し大きく形成しており、後に述べるように、ヒダ部材８の外折返し面８ａを下方に差し込んだときに、この外折返し面８ａの全面を覆うようにしている。なお、前記フラップ片１０には、ホック１１の一方である雌ホックを取り付け、ヒダ部材８には、ホック１１の他方である雄ホックを取り付けたものとしているが、これを逆にして取り付けてもよく、また前記ホック１１に代えて面接着ファスナー（図示せず）を取り付けたものとしてもよい。
【００２４】
以上のように構成したこの発明の財布において、本体部１に収納部２を装着するには、図１に示したように、本体部１の両側面部１Ａ、１Ａの各両隅に取り付けたフラップ片１０を起こし、図２、３に示したように、これらフラップ片１０の下方に前記収納部２Ｂのヒダ部材８の外折返し面８ａを差し込み、前記フラップ片１０を倒して、フラップ片１０に取り付けたホック１１の一方と、ヒダ部材８に取り付けたホック１１の他方を引っ付ければよい。この場合、前記収納部２Ｂのヒダ部材８の外折返し面８ａは、本体部１のフラップ片１０の下方に差し込まれた状態で、フラップ片１０に全面を覆われ、前記ホック１１の一方と他方が引っ付けられた状態となっているので、本体部１から収納部２が非常に外れ難いものとなっており、使用中などにおいて本体部１から収納部２が外れてしまうようなことはない。
【００２５】
この発明の財布を使用するには、開閉ファスナー付き収納部２Ａの開閉ファスナー６を開き、小銭等のばらつくものはこの開閉ファスナー付き収納部２Ａに収納し、紙幣等は収納部２Ｂに収納し、名刺やカードは収納部２Ｂのポケット９に収納し、開閉ファスナー付き収納部２Ａの開閉ファスナー６を閉じると共に、本体１の開閉ファスナー４を閉じればよい。そして、財布から紙幣や小銭、名刺やカード等の小物類を取り出すには、前記本体１の開閉ファスナー４を開くと共に、開閉ファスナー付き収納部２Ａの開閉ファスナー６を開けば、前記収納部２Ａ、２Ｂやポケット９から、これらの小物類を簡単に取り出すことができる。
【００２６】
次に、この発明の財布を時と場所、場合などに応じて、本体部１の模様や色彩が異なるものや、収納部２の構造が異なるものに使い分けする場合には、模様や色彩が異なる本体部１及び構造が異なる収納部２をそれぞれ数種類、用意し、これらを交互に取り替えて使用すればよい。
【００２７】
この発明の財布は、前記本体部１のフラップ片１０を起こすことにより、このフラップ片１０に取り付けたホック１１の一方と、前記収納部２Ｂのヒダ部材８に取り付けたホック１１の他方を外せば、本体部１から収納部２を簡単に取り外すことができるので、本体部１と収納部２を交互に取り替えるのも簡単に行うことができる。また、本体部１又は収納部２の何れかだけが、汚れたり、傷んだりして使用できなくなってしまった場合にも、そのものだけを新しいものに取り替えるのも簡単に行うことができる。
【００２８】
この発明の財布おいて、例えば、模様や色彩が異なる本体部１を二種類、構造が異なる収納部２を二種類ずつ用意しておけば、これらを四通りに組み合わせて使用することができ、さらに本体部１と収納部２をそれぞれ三種類ずつ用意しておけば、これらを九通りに組み合わせて使用することができ、従来のように高価な財布を多く揃えておかなくてもよくなる。
【００２９】
したがって、この発明の財布は、時と場所、場合などに応じて、本体部１の模様や色彩が異なるものや、収納部２の構造が異なるものに使い分けするのにも、本体部１と収納部２とを種々組み合わせて使用することができるので、それ程多くの財布を用意しなくてもよくなり、また本体部１又は収納部２の何れかだけが使用できなくなってしまった場合にも、そのものだけを新しいものに取り替えることができるものとなり、経済的にも優れたものとなる。
【符号の説明】
【００３０】
１  本体部
１Ａ  側面部
１ａ  上端縁
１ｂ  側縁
２  収納部
２Ａ  開閉ファスナー付き収納部
２Ｂ  上方開口の収納部
３  着脱手段
４  開閉ファスナー
８  ヒダ部材
８ａ  外折返し面
１０  フラップ片
１１  ホック
【図１】
2014144194.tif 000003
【図２】
2014144194.tif 000004
【図３】
2014144194.tif 000005
【図４】
2014144194.tif 000006